(57)【要約】【課題】ＯＣＲ処理における認識率を高くする。【解決手段】保存先情報を含む地紋が形成されていない原稿の読取データから生成されたイメージログがＨＤＤ３２ｂに保存された場合に、保存されたイメージログの保存先を示す保存先情報を含む地紋を生成し（１１６）、地紋が形成されていると判断された場合（１０８でＹＥＳ）には、読取データに基づいたイメージログを生成し（１３４）、地紋が形成されていないと判断された場合（１０８でＮＯ）には、読取データに基づいたイメージログを生成（１１０）すると共に、読取データに保存先情報を含む地紋を合成した合成データに基づいたイメージログを生成する（１２０）と共に、生成されたイメージログが保存されるようにログ監視サーバ１４に出力する（１１２、１２２）。【選択図】図３
2009049911.tif 000002
【特許請求の範囲】
【請求項１】
画像が形成されると共に、イメージログの保存先を示す保存先情報を必要に応じて含む付加情報が必要に応じて形成された画像形成媒体から前記画像及び必要に応じて形成された前記付加情報を読み取り、読取データを出力する読取データ出力手段と、
前記読取データに基づいて、前記画像形成媒体に前記付加情報が形成されているか否かを判断する判断手段と、
前記判断手段により付加情報が形成されていると判断された場合には、前記読取データから前記保存先情報を抽出する抽出手段と、
前記読取データに基づいてイメージログを生成するログ生成手段と、
前記保存先情報を含む付加情報が形成されていない画像記録媒体の読取データから生成されたイメージログが保存された場合に、保存されたイメージログの保存先を示す保存先情報を含む付加情報を生成する生成手段と、
前記判断手段により付加情報が形成されていると判断された場合には、前記ログ生成手段に、前記読取データに基づいたイメージログを生成させるように制御し、前記判断手段により付加情報が形成されていないと判断された場合には、前記ログ生成手段に、前記読取データに基づいたイメージログ、及び前記読取データに前記保存先情報を含む付加情報を合成した合成データに基づいたイメージログを生成させるように制御すると共に、生成されたイメージログが保存されるように制御する制御手段と、
を含む画像処理装置。
【請求項２】
前記読取データに前記保存先情報を含む付加情報を合成した合成データに基づいたイメージログが保存された場合に、前記合成データに基づいて画像形成媒体に画像及び付加情報を形成する画像形成手段を更に含む請求項１記載の画像処理装置。
【請求項３】
請求項２に記載の画像処理装置、及び
前記画像処理装置の前記ログ生成手段によって生成された前記読取データに基づいたイメージログが保存されると共に、該読取データに基づいたイメージログの保存先に関連付けられた保存先に、前記合成データに基づいたイメージログが保存される保存手段と、
前記画像処理装置の前記保存先情報抽出手段によって抽出された保存先情報が示す保存先に関連付けられた保存先に保存されたイメージログと、前記画像処理装置の前記判断手段により付加情報が形成されていると判断された場合に前記ログ生成手段によって生成されたイメージログとの画像の差分を抽出する差分抽出手段と、
前記差分抽出手段によって差分が抽出された場合には、画像の差分を、前記保存先情報が示す保存先に保存されたイメージログに加えることにより新たなイメージログを生成するイメージログ生成手段と、
を含む管理装置
を備えた画像処理システム。
【請求項４】
前記管理装置は、
前記保存先情報抽出手段によって保存先情報が抽出されなかった場合には、前記判断手段により付加情報が形成されていると判断された場合に前記ログ生成手段によって生成されたイメージログに類似する類似画像を前記保存手段から検索して取得する類似画像取得手段と、
前記類似画像取得手段によって類似画像が取得された場合には、取得された類似画像と、前記判断手段により付加情報が形成されていると判断された場合に前記ログ生成手段によって生成されたイメージログとの画像の差分を抽出するように前記差分抽出手段を制御する抽出制御手段と、
前記類似画像取得手段によって類似画像が取得された場合に前記差分抽出手段によって差分が抽出されたときには、該画像の差分を、前記類似画像に含まれる保存先情報が示す保存先に保存されたイメージログに加えることにより新たなイメージログを生成するように前記イメージログ生成手段を制御する生成制御手段とを更に含む
請求項３に記載の画像処理システム。
【請求項５】
前記管理装置は、
前記差分抽出手段によって差分が抽出された場合には、前記イメージログ生成手段によって生成された新たなイメージログが前記保存手段に保存されるように制御すると共に、前記差分抽出手段によって差分が抽出されなかった場合には、前記判断手段により付加情報が形成されていると判断された場合に前記ログ生成手段によって生成されたイメージログが前記保存手段に保存されないように制御する保存制御手段を更に含む請求項３または請求項４に記載の画像処理システム。
【請求項６】
画像が形成されると共に、前記画像が形成されると共に所定の情報を含む付加情報が形成されていない画像形成媒体を読み取ることにより得られた読取データに基づいたイメージログが保存された保存先を示す保存先情報が必要に応じて含まれた付加情報が形成された画像形成媒体から、前記画像及び前記付加情報を読み取り、読取データを出力する読取データ出力手段と、
前記読取データに基づいて、前記画像が形成されると共に所定の情報を含む付加情報が形成されていない画像形成媒体を読み取ることにより得られた読取データに基づいたイメージログを取得する取得手段と、
前記取得手段によって取得されたイメージログに対して、文字列を抽出するための文字列抽出処理を行う処理手段と、
を含む画像処理装置。
【請求項７】
コンピュータを
画像が形成されると共に、イメージログの保存先を示す保存先情報を必要に応じて含む付加情報が必要に応じて形成された画像形成媒体を読み取ることにより得られた読取データに基づいて、前記画像形成媒体に前記付加情報が形成されているか否かを判断する判断手段、
前記判断手段により付加情報が形成されていると判断された場合には、前記読取データから前記保存先情報を抽出する抽出手段、
前記読取データに基づいてイメージログを生成するログ生成手段、
前記保存先情報を含む付加情報が形成されていない画像記録媒体の読取データから生成されたイメージログが保存された場合に、イメージログの保存先を示す保存先情報を含む付加情報を生成する生成手段、及び
前記判断手段により付加情報が形成されていると判断された場合には、前記ログ生成手段に、前記読取データに基づいたイメージログを生成させるように制御し、前記判断手段により付加情報が形成されていないと判断された場合には、前記ログ生成手段に、前記読取データに基づいたイメージログ、及び前記読取データに前記保存先情報を含む付加情報を合成した合成データに基づいたイメージログを生成させるように制御すると共に、生成されたイメージログが保存されるように制御する制御手段
として機能させるためのプログラム。
【請求項８】
コンピュータを
画像が形成されると共に、前記画像が形成されると共に所定の情報を含む付加情報が形成されていない画像形成媒体を読み取ることにより得られた読取データに基づいたイメージログが保存されたフォルダを示す保存先情報が必要に応じて含まれた付加情報が形成された画像形成媒体を読み取ることにより得られた読取データに基づいて、前記画像が形成されると共に前記付加情報が形成されていない画像形成媒体を読み取ることにより得られた読取データに基づいたイメージログを取得する取得手段、及び
前記取得手段によって取得されたイメージログに対して、文字列を抽出するための文字列抽出処理を行う処理手段
として機能させるためのプログラム。
【発明の詳細な説明】
【技術分野】
【０００１】
この発明は、画像処理装置、画像処理システム、及びプログラムに関する。
【背景技術】
【０００２】
従来、パターン画像と文書画像とが合成されて形成された原稿を読み取り、読み取った画像データに含まれるパターン画像データから、文書画像の機密レベルを検出して、検出した機密レベルに応じて複写を許可または禁止する画像処理システムが知られている（例えば、特許文献１参照）。
【０００３】
また、従来、画像が形成された紙原稿上に付加された付加情報から得られた原稿のセキュリティレベルと、原稿に形成された画像を読み取って得られた画像データを出力しようとするユーザのセキュリティレベルとに基づいて、所定のルールを参照して、画像データの出力の可否を判断する画像形成装置が知られている（例えば、特許文献２参照）。特許文献２に記載の画像形成装置では、原稿のセキュリティレベルを得る際に用いられるドキュメントＩＤは、例えば、原稿に形成された画像に対してＯＣＲ（Ｏｐｔｉｃａｌ  Ｃｈａｒａｃｔｅｒ  Ｒｅｃｏｇｎｉｔｉｏｎ）用のリーダを用いて、ドキュメントＩＤに対応する文字列を読み取ることにより得られる。
【０００４】
また、一般的に、コピー又はプリントした際の画像データをイメージログとして保存し、イメージログに対してＯＣＲ処理を施して得られた文字列をイメージログに関連付けて保存しておき、画像の追跡調査を行う際に、文字列をキーワードとして対応するイメージログを検索する技術がある。なお、ＯＣＲ処理が施されるイメージログとしては、例えば、上記で説明したような、パターン画像と文書画像とが合成されて形成された原稿が読み取られることにより得られた画像データに基づいたイメージログが挙げられる。
【特許文献１】特開２００２−３０５６４６号公報
【特許文献２】特開２００５−１６６０２３号公報
【発明の開示】
【発明が解決しようとする課題】
【０００５】
本発明は、ＯＣＲ処理における認識率を高くすることができる画像処理装置、画像処理システム、及びプログラムを提供することを目的とする。
【課題を解決するための手段】
【０００６】
上記目的を達成するために、請求項１に記載の発明の画像処理装置は、画像が形成されると共に、イメージログの保存先を示す保存先情報を必要に応じて含む付加情報が必要に応じて形成された画像形成媒体から前記画像及び必要に応じて形成された前記付加情報を読み取り、読取データを出力する読取データ出力手段と、前記読取データに基づいて、前記画像形成媒体に前記付加情報が形成されているか否かを判断する判断手段と、前記判断手段により付加情報が形成されていると判断された場合には、前記読取データから前記保存先情報を抽出する抽出手段と、前記読取データに基づいてイメージログを生成するログ生成手段と、前記保存先情報を含む付加情報が形成されていない画像記録媒体の読取データから生成されたイメージログが保存された場合に、保存されたイメージログの保存先を示す保存先情報を含む付加情報を生成する生成手段と、前記判断手段により付加情報が形成されていると判断された場合には、前記ログ生成手段に、前記読取データに基づいたイメージログを生成させるように制御し、前記判断手段により付加情報が形成されていないと判断された場合には、前記ログ生成手段に、前記読取データに基づいたイメージログ、及び前記読取データに前記保存先情報を含む付加情報を合成した合成データに基づいたイメージログを生成させるように制御すると共に、生成されたイメージログが保存されるように制御する制御手段とを含んで構成されている。
【０００７】
請求項２に記載の発明の画像処理装置は、前記読取データに前記保存先情報を含む付加情報を合成した合成データに基づいたイメージログが保存された場合に、前記合成データに基づいて画像形成媒体に画像及び付加情報を形成する画像形成手段を更に含むようにしたものである。
【０００８】
請求項３に記載の発明の画像処理システムは、前記画像処理装置、及び前記画像処理装置の前記ログ生成手段によって生成された前記読取データに基づいたイメージログが保存されると共に、該読取データに基づいたイメージログの保存先に関連付けられた保存先に、前記合成データに基づいたイメージログが保存される保存手段と、前記画像処理装置の前記保存先情報抽出手段によって抽出された保存先情報が示す保存先に関連付けられた保存先に保存されたイメージログと、前記画像処理装置の前記判断手段により付加情報が形成されていると判断された場合に前記ログ生成手段によって生成されたイメージログとの画像の差分を抽出する差分抽出手段と、前記差分抽出手段によって差分が抽出された場合には、画像の差分を、前記保存先情報が示す保存先に保存されたイメージログに加えることにより新たなイメージログを生成するイメージログ生成手段とを含む管理装置を備えている。
【０００９】
請求項４に記載の発明の画像処理システムは、前記管理装置が、前記保存先情報抽出手段によって保存先情報が抽出されなかった場合には、前記判断手段により付加情報が形成されていると判断された場合に前記ログ生成手段によって生成されたイメージログに類似する類似画像を前記保存手段から検索して取得する類似画像取得手段と、前記類似画像取得手段によって類似画像が取得された場合には、取得された類似画像と、前記判断手段により付加情報が形成されていると判断された場合に前記ログ生成手段によって生成されたイメージログとの画像の差分を抽出するように前記差分抽出手段を制御する抽出制御手段と、前記類似画像取得手段によって類似画像が取得された場合に前記差分抽出手段によって差分が抽出されたときには、画像の差分を、前記類似画像に含まれる保存先情報が示す保存先に保存されたイメージログに加えることにより新たなイメージログを生成するように前記イメージログ生成手段を制御する生成制御手段とを更に含むようにしたものである。
【００１０】
請求項５に記載の発明の画像処理システムは、前記管理装置が、前記差分抽出手段によって差分が抽出された場合には、前記イメージログ生成手段によって生成された新たなイメージログが前記保存手段に保存されるように制御すると共に、前記差分抽出手段によって差分が抽出されなかった場合には、前記判断手段により付加情報が形成されていると判断された場合に前記ログ生成手段によって生成されたイメージログが前記保存手段に保存されないように制御する保存制御手段を更に含むようにしたものである。
【００１１】
上記目的を達成するために、請求項６に記載の発明の画像処理装置は、画像が形成されると共に、前記画像が形成されると共に所定の情報を含む付加情報が形成されていない画像形成媒体を読み取ることにより得られた読取データに基づいたイメージログが保存された保存先を示す保存先情報が必要に応じて含まれた付加情報が形成された画像形成媒体から、前記画像及び前記付加情報を読み取り、読取データを出力する読取データ出力手段と、前記読取データに基づいて、前記画像が形成されると共に所定の情報を含む付加情報が形成されていない画像形成媒体を読み取ることにより得られた読取データに基づいたイメージログを取得する取得手段と、前記取得手段によって取得されたイメージログに対して、文字列を抽出するための文字列抽出処理を行う処理手段とを含んで構成されている。
【００１２】
上記目的を達成するために、請求項７に記載の発明のプログラムは、コンピュータを画像が形成されると共に、イメージログの保存先を示す保存先情報を必要に応じて含む付加情報が必要に応じて形成された画像形成媒体を読み取ることにより得られた読取データに基づいて、前記画像形成媒体に前記付加情報が形成されているか否かを判断する判断手段、前記判断手段により付加情報が形成されていると判断された場合には、前記読取データから前記保存先情報を抽出する抽出手段、前記読取データに基づいてイメージログを生成するログ生成手段、前記保存先情報を含む付加情報が形成されていない画像記録媒体の読取データから生成されたイメージログが保存された場合に、イメージログの保存先を示す保存先情報を含む付加情報を生成する生成手段、及び前記判断手段により付加情報が形成されていると判断された場合には、前記ログ生成手段に、前記読取データに基づいたイメージログを生成させるように制御し、前記判断手段により付加情報が形成されていないと判断された場合には、前記ログ生成手段に、前記読取データに基づいたイメージログ、及び前記読取データに前記保存先情報を含む付加情報を合成した合成データに基づいたイメージログを生成させるように制御すると共に、生成されたイメージログが保存されるように制御する制御手段として機能させる。
【００１３】
上記目的を達成するために、請求項８に記載の発明のプログラムは、コンピュータを画像が形成されると共に、前記画像が形成されると共に所定の情報を含む付加情報が形成されていない画像形成媒体を読み取ることにより得られた読取データに基づいたイメージログが保存されたフォルダを示す保存先情報が必要に応じて含まれた付加情報が形成された画像形成媒体を読み取ることにより得られた読取データに基づいて、前記画像が形成されると共に前記付加情報が形成されていない画像形成媒体を読み取ることにより得られた読取データに基づいたイメージログを取得する取得手段、及び前記取得手段によって取得されたイメージログに対して、文字列を抽出するための文字列抽出処理を行う処理手段として機能させる。
【発明の効果】
【００１４】
請求項１、６、７、及び８の各発明によれば、ＯＣＲ処理における認識率を高くすることができる、という効果が得られる。
【００１５】
請求項２の発明によれば、画像、及びイメージログの保存先を示す保存先情報を含む付加情報が形成された画像形成媒体を得ることができる、という効果が得られる。
【００１６】
請求項３の発明によれば、読み取られる画像形成媒体に形成された画像に対して修正または追記等があった場合、例えば、利用者等により画像の追記がされた場合には、その追記された画像が加えられた画像のイメージログであって、付加情報を含まないイメージログを生成することができる、という効果が得られる。
【００１７】
請求項４の発明によれば、付加情報から保存先情報を抽出できない場合であっても、読み取られる画像形成媒体に形成された画像に対して修正または追記等があったとき、例えば、利用者等により画像の追記がされたときには、その追記された画像が加えられた画像のイメージログであって、付加情報を含まないイメージログを生成することができる、という効果が得られる。
【００１８】
請求項５の発明によれば、保存手段、例えばＨＤＤ等の容量を節約することができる、という効果が得られる。
【発明を実施するための最良の形態】
【００１９】
以下、図面を参照して、本発明の画像処理システムの実施の形態を詳細に説明する。
【００２０】
図１に示すように、本実施の形態に係る画像処理システム１０は、画像処理装置としての複写機１２と、保存したイメージログ及びログを管理するための管理装置としてのログ監視サーバ１４とを備えている。複写機１２とログ監視サーバ１４とはネットワーク１６を介して互いに接続されている。
【００２１】
複写機１２は、ユーザインタフェース（Ｕ／Ｉ）１８と、ユーザ情報取得装置２０と、スキャナ２２と、画像形成部２４と、ＦＡＸ部２６と、制御装置２８と、ネットワーク１６に接続されたネットワークインターフェース（Ｉ／Ｆ）３０を備えている。
【００２２】
Ｕ／Ｉ１８は、ユーザからの操作を受け付けるタッチパネル及び入力された情報に基づいた表示を行うＬＣＤを備えた表示装置を含んで構成されている。Ｕ／Ｉ１８には、ユーザ情報取得装置２０が接続されている。
【００２３】
ユーザ情報取得装置２０は、非接触カードリーダを備えており、例えば、複写機１２に所望の処理を複写機２８に実行させようとするユーザのＩＤカード（例えば、社員証）が非接触カードリーダから所定の範囲内に近接した場合には、ＩＤカードからユーザ情報を読み取って取得する。本実施の形態では、例えば、ユーザがＵ／Ｉ１８のタッチパネルを操作して原稿の複写の指示、又はＯＣＲ処理の指示を入力する際に、ユーザ情報取得装置２０にＩＤカードを近づけてユーザ情報を読み取らせる。これにより、ユーザ情報が含まれた複写の指示又はＯＣＲ処理の指示がＵ／Ｉ１８から出力される。
【００２４】
なお、本実施の形態では、ＩＤカードから読み取ったユーザ情報には、例えば、ユーザを識別するためのユーザＩＤが含まれている。
【００２５】
スキャナ２２は、原稿台ガラス（図示せず）上に配置された画像形成媒体としての原稿を読み取り、読取データを出力する。なお、本実施の形態では、図２に示すように、スキャナ２２に読み取られる原稿３６には、画像（図２の例では、”あいうえ”）３８が形成され、所定の情報を含む付加情報（例えば本実施の形態では地紋（パターン画像））４０が必要に応じて形成されている。これにより、スキャナ２２は、原稿３６から、画像３８及び必要に応じて形成された地紋４０を読み取り、読取データを出力する。なお、付加情報には、例えば、詳細は後述するが、地紋４０が含まれず画像３８のみが含まれたイメージログが保存された保存先を示す保存先情報が必要に応じて含まれる。
【００２６】
画像形成部２４は、入力された画像データに基づいて、画像形成媒体に画像を形成する。
【００２７】
ＦＡＸ部２６は、入力された画像データに基づいて、ＦＡＸ送信を行う。
【００２８】
制御装置２８は、ＯＳ等の基本プログラムが記憶された記憶媒体としてのＲＯＭ２８ａ、下記で詳細を説明する複写処理ルーチンを実行するためのプログラム、下記で詳細を説明するＯＣＲ処理ルーチンを実行するためのプログラム、及び各種処理ルーチンを実行するためのプログラムが記憶（保存）された記憶媒体（保存媒体）としてのＨＤＤ（ハード  ディスク  ドライブ）２８ｂ、プログラムをＲＯＭ２８ａ及びＨＤＤ２８ｂから読み出して実行するＣＰＵ２８ｃ、各種データを一時的に記憶するＲＡＭ２８ｄ、並びにＩ／Ｏ（入出力）ポート２８ｅ等を含んで構成されたマイクロコンピュータで構成されており、これらＲＯＭ２８ａ、ＨＤＤ２８ｂ、ＣＰＵ２８ｃ、ＲＡＭ２８ｄ、及びＩ／Ｏポート２８ｅは互いにバス２８ｆで接続されている。Ｉ／Ｏポート２８ｅには、Ｕ／Ｉ１８、スキャナ２２、画像形成部２４、ＦＡＸ部２６、及びＩ／Ｆ３０が接続されている。
【００２９】
ログ監視サーバ１４は、制御装置３２と、ネットワーク１６に接続されたネットワークインターフェース（Ｉ／Ｆ）３４を備えている。
【００３０】
制御装置３２は、ＯＳ等の基本プログラムが記憶された記憶媒体としてのＲＯＭ３２ａ、下記で詳細を説明する保存処理ルーチンを実行するためのプログラム、下記で詳細を説明する制御処理ルーチンを実行するためのプログラム、及び各種処理ルーチンを実行するためのプログラムが記憶（保存）された記憶媒体（保存）としてのＨＤＤ（ハード  ディスク  ドライブ）３２ｂ、プログラムをＲＯＭ３２ａ及びＨＤＤ３２ｂから読み出して実行するＣＰＵ３２ｃ、各種データを一時的に記憶するＲＡＭ３２ｄ、並びにＩ／Ｏ（入出力）ポート３２ｅ等を含んで構成されたマイクロコンピュータで構成されており、これらＲＯＭ３２ａ、ＨＤＤ３２ｂ、ＣＰＵ３２ｃ、ＲＡＭ３２ｄ、及びＩ／Ｏポート３２ｅは互いにバス３２ｆで接続されている。Ｉ／Ｏポート３２ｅには、Ｉ／Ｆ３４が接続されている。
【００３１】
次に、制御装置２８の動作について説明する。制御装置２８のＣＰＵ２８ｃが実行する複写処理ルーチンについて図３を用いて説明する。なお、本実施の形態において、この複写処理ルーチンは、制御装置２８のスイッチ（図示せず）がオンされることにより所定時間間隔（例えば、数１０ｍｓｅｃ）毎に実行される。
【００３２】
まず、ステップ１００で、Ｕ／Ｉ１８から複写指示が入力されたか否かを判定する。なお、上述したように、複写指示にはユーザ情報が含まれている。
【００３３】
ステップ１００で、入力されたと判定された場合には、次のステップ１０２で、複写指示に含まれているユーザ情報からユーザを識別するためのユーザＩＤを抽出する。
【００３４】
次のステップ１０４では、原稿台ガラス（図示せず）上に配置された原稿３６を読み取って、読取データを出力させるようにスキャナ２２に制御信号を出力することにより、スキャナ２２から読取データを取得する。
【００３５】
次のステップ１０６では、ステップ１０４で取得した読取データを解析することにより、原稿３６に必要に応じて形成された地紋４０を検出する。
【００３６】
次のステップ１０８では、ステップ１０６で地紋４０を検出できたか否かを判断することにより、原稿３６に地紋４０が形成されているか否かを判断する。
【００３７】
ステップ１０８で、地紋４０を検出できなかったと判断された場合には、次のステップ１１０で、読取データに基づいたイメージログ、及びユーザの情報を含むログを生成する。具体的には、ステップ１１０では、ステップ１０４で取得した読取データに所定の画像処理を施して、例えば、ＯＣＲ処理によって解析可能な程度の解像度（例えば２００ｄｐｉ）の画像データを生成することによりイメージログを生成する。また、ステップ１１０では、ユーザの情報（例えば、ステップ１００で受信した複写指示に含まれているユーザＩＤ）、複写機１２を特定するためのマシン番号、生成したイメージログのファイル名、及び受信した指示（入力された指示）の種類（例えば、複写指示等）がテキストデータで表されたログを生成する。なお、生成されたログに、イメージログのファイル名を含めることにより、イメージログとログを対応付けることができる。また、ステップ１１０で生成されたイメージログは、文字を認識するためのＯＣＲ処理が行われた場合に、文字の認識率の低下の原因となる地紋４０は付加されていない。そのため、ステップ１１０で生成されたイメージログに対してＯＣＲ処理が行われた場合には、認識率が高くなる。
【００３８】
次のステップ１１２では、ステップ１１０で生成されたイメージログ及びログ、並びに、詳細は後述するが、ステップ１１０で生成されたイメージログ及びログが保存された保存先を示す保存先情報を通知させるための保存先情報通知指示をログ監視サーバ１４へ出力する。
【００３９】
なお、詳細は後述するが、ログ監視サーバ１４は、イメージログ及びログ並びに保存先情報通知指示を受信した場合には、ステップ１１０で生成されたイメージログ及びログをＨＤＤ３２ｂに保存して、保存した保存先を示す保存先情報（例えば、ステップ１１０で生成されたイメージログ及びログが保存されたディレクトリを示す絶対パス  （例えば、/etc/aaa/log））を複写機１２へ出力する。
【００４０】
次のステップ１１４では、ログ監視サーバ１４から保存先情報を受信したか否かを判定する。
【００４１】
ステップ１１４で、受信したと判定された場合には、次のステップ１１６で、保存先情報を含む地紋のパターン画像を生成する。なお、ステップ１１６で生成された地紋のパターン画像は、解析されることによって、地紋のパターン画像からステップ１１０で生成されたイメージログ及びログが保存された保存先が抽出される。
【００４２】
次のステップ１１８では、ステップ１０４において取得した読取データに、ステップ１１６で生成した地紋の画像データを合成（付加）して、合成データを生成する。
【００４３】
次のステップ１２０では、ステップ１１８で生成された合成データに基づいてイメージログを生成すると共に、ユーザの情報を含むログを生成する。具体的には、ステップ１２０では、ステップ１１８で生成された合成データに所定の画像処理を施して、例えば、ＯＣＲ処理によって解析可能な程度の解像度（例えば２００ｄｐｉ）の画像データを生成することによりイメージログを生成する。また、ステップ１２０では、ステップ１１０と同様に、ユーザの情報（例えば、ステップ１００で受信した複写指示に含まれているユーザＩＤ）、複写機１２を特定するためのマシン番号、生成したイメージログのファイル名、及び受信した指示（入力された指示）の種類（例えば、複写指示等）がテキストデータで表されたログを生成する。
【００４４】
次のステップ１２２では、ステップ１２０で生成されたイメージログ及びログをログ監視サーバ１４へ出力すると共に、ステップ１１４で受信されたと判定された保存先情報が示す保存先に関連付けられた保存先にステップ１２０で生成されたイメージログ及びログを保存させるための保存指示を監視サーバ１４へ出力する。具体的には、例えば、ステップ１１４で受信されたと判定された保存先情報が示す保存先が、”/etc/aaa/log”である場合には、この保存先に関連付けられた保存先、例えば、”/etc/aaa/log/jimonhukalog”（受信した保存先情報が示す保存先の配下の”/jimonhukalog”のディレクトリ）に、ステップ１２０で生成されたイメージログ及びログを保存させるための保存指示を監視サーバ１４へ出力する。なお、この保存指示には、ステップ１１４で受信されたと判定された保存先情報が示す保存先に関連付けられた保存先を示す情報が含まれる。
【００４５】
なお、詳細は後述するが、ログ監視サーバ１４は、イメージログ及びログを受信すると共に、上記の保存指示を受信した場合には、受信したイメージログ及びログを保存指示に基づいてＨＤＤ３２ｂに保存して、画像データを出力する指示である画像データ出力指示を複写機１２へ出力する。
【００４６】
次のステップ１２４では、ログ監視サーバ１４から画像データ出力指示を受信したか否かを判定する。
【００４７】
ステップ１２４で、画像データ出力指示を受信したと判定された場合には、次のステップ１２６で、ステップ１１８において生成された合成データに対して所定の画像処理を施し、その次のステップ１２８で、所定の画像処理が施された合成データを画像データとして出力し、複写処理ルーチンを終了する。すなわち、ステップ１１８及びステップ１２０では、読取データに基づいた画像データを出力する。
【００４８】
なお、ステップ１２８では、ステップ１００で入力されたと判定された複写指示に”画像形成の実行”の指示が含まれている場合には、画像データを画像形成部２４に出力する。これにより、画像データに基づいた画像が形成された原稿が画像形成部２４から出力される。このとき、上記で説明したステップ１０８で否定判断されて、ステップ１２８に進んだ場合には、図４に示すように、画像形成部２４から出力される原稿３６には画像３８及び保存先情報を含む付加情報４０が形成される。また、ステップ１２８では、ステップ１００で入力されたと判定された複写指示に”ＦＡＸの実行”の指示が含まれている場合には、画像データをＦＡＸ部２６に出力する。これにより、ＦＡＸ部２６によって画像データに基づいた画像のＦＡＸ送信が行われる。また、ステップ１２８では、ステップ１００で入力されたと判定された複写指示に”ファイル出力”の指示が含まれている場合には、画像データを指示された場所または所定の場所に出力する。
【００４９】
以上、説明したように、ステップ１０８で地紋が形成されていないと判断された場合には、ステップ１１２において地紋が付加されていないイメージログ、すなわちＯＣＲ処理における認識率が良好となるイメージログが監視サーバ１４に出力され、ステップ１２２において保存先情報が含まれた地紋のパターン画像が合成された読取データ（合成データ）に基づいたイメージログ、すなわちＯＣＲ処理における認識率が良好となるイメージログの保存先が抽出可能なイメージログが監視サーバ１４に出力される。
【００５０】
一方、ステップ１０８で、地紋４０が形成されていると判断された場合には、次のステップ１３０で、地紋４０の解析を行い、各種情報を抽出する。ステップ１３０での処理によって、例えば、地紋４０が、上記で説明した保存先情報を含んでいる場合には、保存先情報が抽出される。
【００５１】
次のステップ１３２では、ステップ１３０で保存先情報を抽出できたか否かを判定する。
【００５２】
ステップ１３２で、保存先情報を抽出できたと判定された場合には、次のステップ１３４で、ステップ１１０と同様に、イメージログ及びログを生成する。なお、ステップ１３４で生成されたイメージログには、地紋４０が含まれている。
【００５３】
次のステップ１３６では、ステップ１３４で生成されたイメージログ及びログ、並びに、ステップ１３０で抽出された保存先情報をログ監視サーバ１４へ出力する。
【００５４】
なお、詳細は後述するが、ログ監視サーバ１４は、イメージログ及びログ並びに保存先情報を受信した場合には、受信したイメージログに対して所定の条件を満たす場合には所定の処理を施して、イメージログ及びログまたはログのみをＨＤＤ３２ｂに保存して、画像データを出力させる指示である画像データ出力指示を複写機１２へ出力する。
【００５５】
次のステップ１３８では、ログ監視サーバ１４から画像データ出力指示を受信したか否かを判定する。
【００５６】
ステップ１３８で、受信したと判定された場合には、上述したステップ１２６へ進む。なお、ステップ１３８からステップ１２６へ進んだ場合には、ステップ１２６では、ステップ１０４において取得された読取データに対して所定の画像処理を施し、ステップ１２８では、所定の画像処理が施された読取データを画像データとして出力し、複写処理ルーチンを終了する。なお、ステップ１２８では、ステップ１００で入力されたと判定された複写指示に”画像形成の実行”の指示が含まれている場合には、画像データを画像形成部２４に出力する。これにより、画像データに基づいた画像が形成された原稿が画像形成部２４から出力される。このとき、上記で説明したステップ１０８で肯定判断され、ステップ１３２で肯定判定されて、ステップ１２８に進んだ場合には、図４に示すように、画像形成部２４から出力される原稿３６には画像３８及び保存先情報を含む付加情報４０が形成される。
【００５７】
一方、ステップ１３２で、保存先情報を抽出できなかったと判定された場合には、次のステップ１４０で、ステップ１３４と同様に、イメージログ及びログを生成する。なお、ステップ１４０で生成されたイメージログには、文字を認識するためのＯＣＲ処理が行われた場合に、文字の認識率の低下の原因となる地紋４０が含まれている。
【００５８】
次のステップ１４２では、ステップ１４０で生成されたイメージログ及びログ、並びに、詳細は後述するが、ステップ１０４で取得した読取データによって表される画像に類似した画像を検索する、いわゆる類似画像検索処理をログ監視サーバ１４に行わせるための類似画像検索指示をログ監視サーバ１４へ出力する。
【００５９】
なお、詳細は後述するが、ログ監視サーバ１４は、イメージログ及びログ並びに類似画像検索指示を受信した場合には、読取データによって表される画像に類似した画像を検索し、類似画像が存在しなかった場合には、ステップ１４０で生成されたイメージログ及びログをＨＤＤ３２ｂに保存して、画像データ出力指示を複写機１２へ出力する。一方、ログ監視サーバ１４は、類似画像が存在した場合には、読取データによって表される画像と類似した画像との画像の差分を抽出し、差分がある場合に、画像の差分を対応する地紋４０を含まないイメージログに加えて新たなイメージログを生成し、新たなイメージログ及び受信したログをＨＤＤ３２ｂに保存して、画像データ出力指示を複写機１２へ出力する。一方、差分がない場合には、ログ監視サーバ１４は、受信したログのみをＨＤＤ３２ｂに保存して、画像データ出力指示を複写機１２へ出力する。
【００６０】
次のステップ１４４では、ログ監視サーバ１４から画像データ出力指示を受信したか否かを判定する。
【００６１】
ステップ１４４で、受信したと判定された場合には、上記で詳細を説明したステップ１２６へ進む。なお、ステップ１４４からステップ１２６へ進んだ場合には、ステップ１２６では、ステップ１０４において取得された読取データに対して所定の画像処理を施し、ステップ１２８では、所定の画像処理が施された読取データを画像データとして出力し、本複写処理ルーチンを終了する。
【００６２】
次に、制御装置３２の動作について説明する。制御装置３２のＣＰＵ３２ｃが実行する記憶処理ルーチンについて図５を用いて説明する。なお、本実施の形態において、この記憶処理ルーチンは、制御装置３２のスイッチ（図示せず）がオンされることにより所定時間間隔（例えば、数１０ｍｓｅｃ）毎に実行される。
【００６３】
まず、ステップ２００で、複写機１２からイメージログ及びログを受信したか否かを判定する。
【００６４】
ステップ２００で、受信したと判定された場合には、次のステップ２０２で、複写機１２から保存先情報通知指示を受信したか否かを判定する。なお、上述したように、本実施の形態において、複写処理ルーチンにおけるステップ１１２で、複写機１２が保存先情報通知指示を出力する。
【００６５】
ステップ２０２で、受信したと判定された場合には、次のステップ２０４で、受信したイメージログ及びログをＨＤＤ３２ｂに保存させる。
【００６６】
次のステップ２０６では、ステップ２０４において保存されたイメージログの保存先を示す保存先情報（例えば、イメージログ及びログが保存されたディレクトリを示す絶対パス（例えば、”/etc/aaa/log”））を複写機１２に出力する。そして、本保存処理ルーチンを終了する。
【００６７】
一方、ステップ２０２で、受信していないと判定された場合には、次のステップ２０８で、複写機１２から保存先情報を受信したか否かを判定する。なお、上述したように、本実施の形態において、複写処理ルーチンにおけるステップ１３６で、複写機１２が保存先情報を出力する。
【００６８】
ステップ２０８で、複写機１２から保存先情報を受信したと判定された場合には、次のステップ２１０で、受信した保存先情報が示す保存先に関連付けられた保存先（例えば、受信されたと判定された保存先情報が示す保存先が、”/etc/aaa/log”である場合には、この保存先に関連付けられた保存先、例えば、”/etc/aaa/log/jimonhukalog”（受信した保存先情報が示す保存先の配下の”/jimonhukalog”のディレクトリ））に記憶されたイメージログをＨＤＤ３２ｂから読み出す。なお、読み出されたイメージログには地紋４０が含まれている。
【００６９】
次のステップ２１２では、ステップ２００で受信されたと判定されたイメージログと、ステップ２１０で読み出されたイメージログとの画像の差分を抽出する。
【００７０】
例えば、ステップ２００で受信されたと判定されたイメージログが、図６（Ａ）に示すように、地紋５０及び画像”あいうえお”６０を含むイメージログ８０であり、ステップ２１０で読み出されたイメージログが、図６（Ｂ）に示すように、地紋４２及び画像”あいうえ”６２を含むイメージログ８２である場合には、ステップ２１２で、図６（Ｃ）に示すように、画像の差分”お”６４が抽出される。
【００７１】
次のステップ２１４では、ステップ２１２で画像の差分が抽出されたか否かを判定する。具体的には、ステップ２１４では、ステップ２１２で画像の差分が得られた場合には、画像の差分が抽出されたと判定し、ステップ２００で受信されたと判定されたイメージログとステップ２１０で読み出されたイメージログとが同一であった場合などの理由から、ステップ２１２で差分が得られなかったときには、画像の差分が抽出されなかったと判定する。
【００７２】
ステップ２１４で、差分が抽出されたと判定された場合には、次のステップ２１６で、受信した保存先情報が示す保存先に保存されたイメージログをＨＤＤ３２ｂから読み出す。なお、ステップ２１６で読み出されたイメージログは、地紋４０を含まない。
【００７３】
次のステップ２１８では、ステップ２１２で抽出された画像の差分を、ステップ２１６で読み出されたイメージログに加えることにより新たなイメージログを生成する。
【００７４】
例えば、ステップ２１２で抽出された画像の差分が、図６（Ｅ）に示すように、画像の差分”お”６４であり、ステップ２１６で読み出されたイメージログが、図６（Ｄ）に示すように、画像”あいうえ”６２を含むイメージログ８４であった場合には、ステップ２１８では、図６（Ｆ）に示すように、画像”あいうえお”６０のみを含む新たなイメージログ８６が生成される。
【００７５】
次のステップ２２０では、ステップ２１８で生成した新たなイメージログ、及びステップ２００で受信したと判定されたログを、ステップ２０８で受信したと判定された保存先情報が示すＨＤＤ３２ｂの保存先に保存させる。
【００７６】
次のステップ２２４では、画像データを出力させる指示である画像データ出力指示を複写機１２へ出力し、本保存処理ルーチンを終了する。
【００７７】
一方、ステップ２１４で、差分が抽出されなかったと判定された場合には、次のステップ２２２で、ステップ２００で受信したと判定されたログのみを、ステップ２０８で受信したと判定された保存先情報が示すＨＤＤ３２ｂの保存先に保存させて、ステップ２２４へ進む。このとき、ステップ２２２では、ステップ２００で受信したと判定されたイメージログはＨＤＤ３２ｂに保存されない。
【００７８】
一方、ステップ２０８で、複写機１２から保存先情報を受信していないと判定された場合には、次のステップ２２６で、複写機１２から類似画像検索処理指示を受信したか否かを判定する。
【００７９】
ステップ２２６で、受信したと判定された場合には、次のステップ２２８に進む。
【００８０】
ステップ２２８では、ステップ２００で受信されたと判定されたイメージログに類似する類似画像をＨＤＤ３２ｂから検索するために、いわゆる類似画像検索処理を行って、類似画像が存在した場合には、類似画像を取得する。
【００８１】
次のステップ２３０では、ステップ２２８で類似画像が取得されたか否かを判定する。
【００８２】
ステップ２３０で、取得されなかったと判定された場合には、２３８へ進み、取得されたと判定された場合には、次のステップ２３２へ進む。
【００８３】
ステップ２３２では、ステップ２２８で取得された類似画像と、ステップ２００で受信したと判定されたイメージログとの画像の差分を抽出する。
【００８４】
次のステップ２３４では、ステップ２３２で画像の差分が抽出されたか否かを判定する。具体的には、ステップ２３４では、ステップ２３２で画像の差分が得られた場合には、画像の差分が抽出されたと判定し、ステップ２００で受信されたと判定されたイメージログとステップ２２８で取得された類似画像とが同一であった場合などの理由から、ステップ２１２で差分が得られなかったときには、画像の差分が抽出されなかったと判定する。
【００８５】
ステップ２３４で、差分が抽出されたと判定された場合には、次のステップ２３６に進み、差分が抽出されなかったと判定された場合には、次のステップ２２２に進む。
【００８６】
ステップ２３６では、ステップ２２８で取得された類似画像の地紋の解析を行い、各種情報を抽出する。ステップ２３６での処理によって、例えば、各種情報として、保存先情報が抽出される。
【００８７】
そして、ステップ２１６へ進む。なお、ステップ２３６からステップ２１６へ進んだ場合には、ステップ２１６では、ステップ２３６で抽出された保存先情報が示す保存先に保存されたイメージログをＨＤＤ３２ｂから読み出す。なお、このとき読み出されたイメージログは、地紋を含まない。このステップ２２８からステップ２１６までの処理の流れを図７を用いて説明する。同図に図示されるように、ステップ２００で受信されたと判定されたイメージログの類似画像をステップ２２８で検索して取得し、類似画像が取得された場合には、ステップ２１６で、取得された類似画像に含まれる保存先情報が示す保存先に保存されたイメージログを読み出す。
【００８８】
そして、ステップ２３６からステップ２１６へ進んだ場合には、次のステップ２１８では、ステップ２３２で抽出された画像の差分を、ステップ２３６で抽出された保存先情報が示す保存先に保存されたイメージログ（ステップ２１６で読み出されたイメージログ）に加えることにより新たなイメージログを生成する。
【００８９】
一方、ステップ２２６で類似画像検索処理指示を受信していないと判定された場合、（すなわち、イメージログ及びログ並びに保存指示を受信した場合）には、次のステップ２３８で、受信した保存指示に含まれている保存先情報が示すＨＤＤ３２ｂの保存先に、ステップ２００において受信したと判定されたイメージログ及びログを保存させて、ステップ２２４へ進む。
【００９０】
次に、制御装置２８のＣＰＵ２８ｃが実行するＯＣＲ処理（文字列抽出処理）ルーチンについて図８を用いて説明する。なお、本実施の形態において、このＯＣＲ処理ルーチンは、制御装置２８のスイッチ（図示せず）がオンされることにより所定時間間隔（例えば、数１０ｍｓｅｃ）毎に実行される。
【００９１】
まず、ステップ３００で、Ｕ／Ｉ１８からＯＣＲ指示が入力されたか否かを判定する。
【００９２】
ステップ３００で、入力されたと判定された場合には、次のステップ３０２で、原稿台ガラス（図示せず）上に配置された原稿３６を読み取って、読取データを出力させるようにスキャナ２２に制御信号を出力することにより、スキャナ２２から読取データを取得する。なお、本実施の形態では、ＯＣＲ処理ルーチンのステップ３０２において、図９に示すように、スキャナ２２に読み取られる原稿３６には、画像（図９の例では、”あいうえ”）３８が形成され、所定の情報を含む付加情報（例えば本実施の形態では地紋（パターン画像））４０が形成されている。これにより、スキャナ２２は、原稿３６から、画像３８及び地紋４０を読み取り、読取データを出力する。なお、付加情報には、例えば、画像３８のみが含まれたイメージログが保存された保存先を示す保存先情報が必要に応じて含まれる。
【００９３】
次のステップ３０４では、ステップ３０２で取得した読取データを解析することにより、原稿３６に形成された地紋４０を検出する。
【００９４】
次のステップ３０６では、ステップ３０４で検出した地紋４０の解析を行い、各種情報を抽出する。ステップ３０６での処理によって、例えば、地紋４０が、上記で説明した保存先情報を含んでいる場合には、保存先情報が抽出される。
【００９５】
次のステップ３０８では、ステップ３０６で保存先情報を抽出できたか否かを判定する。
【００９６】
ステップ３０８で、保存先情報を抽出できたと判定された場合には、次のステップ３１０へ進む。
【００９７】
ステップ３１０では、ステップ３０６で抽出された保存先情報、及びステップ３０６で抽出された保存先情報が示す保存先に保存されたイメージログを読み出す指示をログ監視サーバ１４へ出力する。
【００９８】
なお、詳細は後述するが、ログ監視サーバ１４は、保存先情報及び保存先情報が示す保存先に保存されたイメージログを読み出す指示を受信した場合には、受信した保存先情報が示す保存先に保存されたイメージログをＨＤＤ３２ｂから読み出して、読み出したイメージログを複写機１２へ出力する。
【００９９】
次のステップ３１２では、ログ監視サーバ１４からイメージログを受信したか否かを判定する。
【０１００】
ステップ３１２で、ログ監視サーバ１４からイメージログを受信したと判定された場合には、次のステップ３１４で、ステップ３１２において受信したと判定されたイメージログから文字列を抽出するために、イメージログに対してＯＣＲ処理を行う。そして、本ＯＣＲ処理ルーチンを終了する。
【０１０１】
一方、ステップ３０８で、保存先情報を抽出できなかったと判定された場合には、次のステップ３１６へ進む。
【０１０２】
ステップ３１６では、ステップ３０２で取得した読取データに基づいたイメージログを生成する。具体的には、ステップ３１６では、ステップ３０２で取得した読取データに所定の画像処理を施して、例えば、ＯＣＲ処理によって解析可能な程度の解像度（例えば２００ｄｐｉ）の画像データを生成することによりイメージログを生成する。
【０１０３】
次のステップ３１８では、ステップ３１６で生成したイメージログ、及びステップ３１６で生成したイメージログに類似した類似画像を検索して、地紋が含まれていない類似画像を読み出す指示をログ監視サーバ１４へ出力する。
【０１０４】
なお、詳細は後述するが、ログ監視サーバ１４は、イメージログ及びイメージログに類似した類似画像を検索して、地紋が含まれていないイメージログを読み出す指示を受信した場合には、受信したイメージログに類似した類似画像をＨＤＤ３２ｂから検索して、類似画像が存在した場合には、類似画像を取得して、取得した類似画像に含まれる保存先情報が示す保存先に保存されたイメージログをＨＤＤ３２ｂから読み出して、読み出したイメージログを複写機１２へ出力すると共に、イメージログを読み出したことを示す通知を出力する。一方、類似画像を取得できなかった場合には、イメージログが読み出せなかったことを示す通知を出力する。
【０１０５】
ステップ３２０では、ログ監視サーバ１４からの通知が受信されたか否かを判定する。なお、ログ監視サーバ１４からの通知が、イメージログを読み出したことを示す通知であった場合には、この通知と共にイメージログが受信される。
【０１０６】
ステップ３２０で、受信されたと判定された場合、次のステップ３２２に進む。
【０１０７】
ステップ３２２では、ステップ３２０で受信されたと判定された通知が、イメージログを読み出したことを示す通知であるか否かを判定する。
【０１０８】
ステップ３２２で、イメージログを読み出したことを示す通知であると判定された場合には、次のステップ３２４で、受信したイメージログから文字列を抽出するために、受信したイメージログに対してＯＣＲ処理を行う。そして、本ＯＣＲ処理ルーチンを終了する。
【０１０９】
一方、ステップ３２２で、イメージログを読み出したことを示す通知ではないと判定された場合には、次のステップ３２６に進む。
【０１１０】
ステップ３２６では、ステップ３１６で生成されたイメージログから文字列を抽出するために、ステップ３１６で生成されたイメージログに対してＯＣＲ処理を行う。そして、本ＯＣＲ処理ルーチンを終了する。
【０１１１】
次に、制御装置３２のＣＰＵ３２ｃが実行する制御処理ルーチンについて図１０を用いて説明する。なお、本実施の形態において、この記憶処理ルーチンは、制御装置３２のスイッチ（図示せず）がオンされることにより所定時間間隔（例えば、数１０ｍｓｅｃ）毎に実行される。
【０１１２】
まず、ステップ４００で、複写機１２から保存先情報が示す保存先に保存されたイメージログを読み出す指示、または、イメージログに類似した類似画像を検索して、地紋が含まれていないイメージログを読み出す指示を受信したか否かを判定する。なお、受信した指示が、保存先情報が示す保存先に保存されたイメージログを読み出す指示であるである場合には、この指示と共に保存先情報を受信する。また、受信した指示が、イメージログに類似した類似画像を検索して地紋が含まれていないイメージログを読み出す指示である場合には、この指示と共にイメージログを受信する。
【０１１３】
ステップ４００で受信したと判定された場合には、次のステップ４０２で、受信した指示は、保存先情報が示す保存先に保存されたイメージログを読み出す指示であるか否かを判定する。
【０１１４】
ステップ４０２で、保存先情報が示す保存先に保存されたイメージログを読み出す指示であると判定された場合には、次のステップ４０４で、受信した保存先情報が示すＨＤＤ３２ｂの保存先に保存されたイメージログをＨＤＤ３２ｂから読み出す。
【０１１５】
次のステップ４０６では、ステップ４０４で読み出したイメージログを複写機１２へ出力して、本制御処理ルーチンを終了する。
【０１１６】
一方、ステップ４０２で、保存先情報が示す保存先に保存されたイメージログを読み出す指示でないと判定された場合（すなわち、イメージログに類似した類似画像を検索して地紋が含まれていないイメージログを読み出す指示を受信した場合）には、次のステップ４０８で、受信したイメージログに類似する類似画像をＨＤＤ３２ｂから検索して、類似画像が存在した場合には、類似画像を取得する。
【０１１７】
次のステップ４１０では、ステップ４０８で類似画像が取得されたか否かを判定する。
【０１１８】
ステップ４１０で類似画像が取得されたと判定された場合には、次のステップ４１２で、ステップ４０８において取得された類似画像の地紋の解析を行い、各種情報を抽出する。ステップ４１２での処理によって、例えば、各種情報として、保存先情報が抽出される。
【０１１９】
次のステップ４１４では、ステップ４１２で抽出された保存先情報が示す保存先に保存されたイメージログをＨＤＤ３２ｂから読み出す。なお、このとき読み出されたイメージログは、地紋を含まない。このステップ４０８からステップ４１４までの処理の流れを図１１を用いて説明する。同図に図示されるように、ステップ４００で受信されたと判定されたイメージログの類似画像をステップ４０８で検索して取得し、類似画像が取得された場合には、ステップ４１４で、取得された類似画像に含まれる保存先情報が示す保存先に保存されたイメージログを読み出す。
【０１２０】
以上説明したように、本実施形態の画像処理装置１２は、ステップ３０２で取得した読取データに基づいて、ステップ３１２で画像が形成されると共に所定の情報を含む付加情報が形成されていない画像形成媒体を読み取ることにより得られた読取データに基づいたイメージログを受信（取得）し、ステップ３１４で、受信されたイメージログに対して、文字列を抽出するためのＯＣＲ処理を行う。
【図面の簡単な説明】
【０１２１】
【図１】本実施の形態を示す概略図である。
【図２】本実施の形態における原稿に形成された画像と必要に応じて形成された地紋を示す図である。
【図３】本実施の形態における複写機の制御装置のＣＰＵが行う複写処理ルーチンのフローチャートを示す図である。
【図４】本実施の形態における画像形成部から出力される原稿には画像及び保存先情報を含む付加情報が形成されることを示すための図である。
【図５】本実施の形態におけるログ監視サーバの制御装置のＣＰＵが行う保存処理ルーチンのフローチャートを示す図である。
【図６】本実施の形態におけるイメージログを示す図である。
【図７】本実施の形態におけるイメージログを示す図である。
【図８】本実施の形態における複写機の制御装置のＣＰＵが行うＯＣＲ処理ルーチンのフローチャートを示す図である。
【図９】本実施の形態におけるイメージログを示す図である。
【図１０】本実施の形態におけるログ監視サーバの制御装置のＣＰＵが行う制御処理ルーチンのフローチャートを示す図である。
【図１１】本実施の形態におけるイメージログを示す図である。
【符号の説明】
【０１２２】
１０      画像処理システム
１２      複写機
１４      ログ監視サーバ
１８      Ｕ／Ｉ
２０      ユーザ情報取得装置
２２      スキャナ
２８      制御装置
２８ｃ    ＣＰＵ
３２      制御装置
３２ｃ    ＣＰＵ
【図１】
2009049911.tif 000003
【図２】
2009049911.tif 000004
【図３】
2009049911.tif 000005
【図４】
2009049911.tif 000006
【図５】
2009049911.tif 000007
【図６】
2009049911.tif 000008
【図７】
2009049911.tif 000009
【図８】
2009049911.tif 000010
【図９】
2009049911.tif 000011
【図１０】
2009049911.tif 000012
【図１１】
2009049911.tif 000013